(57)【特許請求の範囲】
【請求項１】
下蓋部の一端に、下蓋部上への折り重ねが可能な上蓋部が連接されていると共に、上蓋部との連接側とは対向する下蓋部の他端に、下蓋部上へ折り返すことで、上記折り重ねられる下蓋部と上蓋部の間へ挟み込まれる差し込み保持部が連接されており、
この差し込み保持部は、ディスクが収納された保護袋に差し込まれて、ディスクを保護袋ごと保持するものであることを特徴とするディスクケース。
【請求項２】
差し込み保持部は、下蓋部上に折り返したときに、先端が下蓋部と上蓋部間の折り返しライン付近に位置する長さを有することを特徴とする請求項１のディスクケース。
【請求項３】
重ね合わされた下蓋部と上蓋部の自由端側に綴じ込み代がとられていることを特徴とする請求項１のディスクケース。
【請求項４】
差し込み保持部には、保護袋ごと保持したときのディスクの中央部分に対応する位置に内窓が形成され、上蓋部には、差し込み保持部を下蓋部と上蓋部の間に挟み込んだときに内窓とほぼ重なる位置に外窓が形成されていることを特徴とする請求項１のディスクケース。
【請求項５】
内窓が、保護袋ごと保持したときのディスクの中央部分に対応する位置から差し込み保持部の先端に抜けた切り抜き部として形成されていることを特徴とする請求項４のディスクケース。
【請求項６】
ディスクを収納した保護袋に差し込み保持部を差し込んだときの保護袋の開口縁部付近に、差し込み保持部に設けた切り込みの内側を押し出すことで上向きに突出する舌片が設けられていることを特徴とする請求項１のディスクケース。
【請求項７】
内側が舌片となる切り込みが、ディスクを収納した保護袋に差し込み保持部を差し込んだときの保護袋の開口縁部付近からディスクの中央部分に対応する領域を含む大きさで形成されていることを特徴とする請求項６のディスクケース。
【請求項８】
内側に差し込み保持部が嵌り合う枠体部が下蓋部に連接されており、枠体部の内周側には、保護袋の外縁部が差し込まれる把持用切り込みが形成されていることを特徴とする請求項１のディスクケース。
【請求項９】
差し込み保持部が下蓋部の内側にやや食い込んで下蓋部に連接されていることにより、差し込み保持部の下蓋部上への折り返しラインが下蓋部の内側にやや食い込んだ位置に形成されていることを特徴とする請求項１のディスクケース。
【請求項１０】
差し込み保持部に、差し込み保持部上に折り重ねられて、ディスクが収納された保護袋に差し込み保持部と共に差し込まれる付属カードが連接されていることを特徴とする請求項１のディスクケース。
【請求項１１】
差し込み保持部に、差し込み保持部の一部を切り離しラインで仕切った内側部分として付属カードが付帯されていることを特徴とする請求項１のディスクケース。
【請求項１２】
１つの下蓋部に対して複数の差し込み保持部が並列して夫々連接されていることを特徴とする請求項１のディスクケース。
【請求項１３】
差し込み保持部が折り返された下蓋と、下蓋上に折り返された上蓋間を止める蓋止め手段が設けられていることを特徴とする請求項１のディスクケース。
【発明の詳細な説明】
【０００１】
【発明の属する技術分野】
本発明は、例えばコンパクトディスク（ＣＤ）、ミニディスク（ＭＤ）、レーザーディスク（ＬＤ）等の光ディスクを初めとして、レコード盤や磁気ディスク等のディスクを収納するための簡易なディスクケースに関する。
【０００２】
【従来の技術】
従来、ディスクを雑誌や書籍に付帯させる場合、持ち運び時のディスクの脱落や書店店頭でのディスクの抜き取り防止のため、雑誌や書籍に綴じ込まれた簡易なディスクケースにディスクを封入しておくことが行われている。このディスクケースとしては、ディスクの保護も兼ねて、厚紙製のものが多く使用されている。例えば、２枚の厚紙の一方の内面側にディスクを収納する凹部を形成すると共に、他方の厚紙にディスクの中央部を露出させる窓部を形成しておき、凹部の周囲に接着剤を塗布し、凹部内にディスクを入れた後、２枚の厚紙を貼り合わせて密封したものが知られている。また、貼り合わせた厚紙間からディスクを取り出しやすくするために、ディスクを収容する凹部部分を開封するためのミシン目を形成したものも知られている。
【０００３】
【発明が解決しようとする課題】
しかしながら、上記従来のディスクケースの場合は、収納したディスクの周囲を接着剤で貼り合わせることから、接着剤の塗布工程が必要となり、しかもディスクの収納部分を残して周囲に接着剤を塗布するために、接着剤の塗布工程が煩雑になる問題がある。また、接着剤を用いる場合、接着剤の乾燥状態に合わせて貼り合わせ作業を進める必要があり、ディスクの封入に手間がかかる問題がある。また、ＣＤは、表面側が透明な合成樹脂フィルム、裏面側が合成繊維の不織布で構成された保護袋に収納されているのが通常で、この保護袋に入ったＣＤをディスクケースの納める場合、保護袋が接着されてしまう恐れもある。
【０００４】
本発明は、上記接着剤を用いて密封する方式の従来のディスクケースの問題点に鑑みてなされたもので、基本的に接着剤による封止を行うことなくディスクの脱落や抜き取りを確実に防止できるディスクケースとすることを目的とする。
【０００５】
【課題を解決するための手段】
このために本発明で講じられた手段を一実施例に対応する図１で説明すると、本発明では、下蓋部１の一端に、下蓋部１上への折り重ねが可能な上蓋部２が連接されていると共に、上蓋部２との連接側とは対向する下蓋部１の他端に、下蓋部１上へ折り返すことで、上記折り重ねられる下蓋部１と上蓋部２の間へ挟み込まれる差し込み保持部３が連接されており、
この差し込み保持部３は、ディスク４が収納された保護袋５に差し込まれて、ディスク４を保護袋５ごと保持するディスクケースとしているものである。
【０００６】
【発明の実施の形態】
図１〜図４に基づいて本発明に係るディスクケースの一例を説明する。
【０００７】
図１は展開状態を示す平面図である。本ディスクケースは、一般的には厚紙で構成されるもので、図１中、中央が下蓋部１、左側が上蓋部２、右側が差し込み保持部３である。
【０００８】
本例のディスクケースは、後述するように、雑誌や書籍への綴じ込みに適したもので、綴じ込んだ状態で開封してディスク４を取り出しやすくするためには開封部８を設けておくことが好ましい。開封部８は、ミシン目や切り込みによって引き裂き開封しやすくした箇所で、図示される開封部８は、下蓋部１の上蓋部２寄りに、２条のミシン目又は切り込みに挟まれた帯状部分として形成されている。この開封部８は、中央部分から左右に引っ張ることで引き裂き除去することができ、これによって容易に開封することができる。
【０００９】
上蓋部２は下蓋部１の一端に連接されていて、折り返しライン６ａを介して下蓋部１上に折り重ねることによって、次に述べる差し込み保持部３を下蓋部１との間に挟み込むものである。また、上蓋部２のほぼ中央部には、円形の外窓７ａが形成されている。
【００１０】
上記上蓋部２の連接側と対向する下蓋部１の他端には、差し込み保持部３が連接されている。この差し込み保持部３は、ディスク４を収納した保護袋５に差し込まれ、ディスク４を保護袋５ごと保持するものである。差し込み保持部３の基部（下蓋部１との連接側）は、ほぼ保護袋５の幅と等しい幅となっており、保護袋５にしっかり差し込むことができるようになっている。差し込み保持部３の先端部は、この基部より幅が狭くなっており、保護袋５の開口部に差し込みやすくなっている。また、差し込み保持部３は、折り返しライン８ｂを介して下蓋部１上へ折り返すことができるものとなっている。
【００１１】
更にこの差し込み保持部３について説明すると、差し込み保持部３には、保護袋５ごと保持したときのディスク４の中央部分に対応する位置に内窓７ｂが形成されている。前記上蓋部２の外窓７ａは、差し込み保持部３を下蓋部１と上蓋部２との間に挟み込んだときに、内窓７ｂとほぼ重なる位置に形成されているものである。また、差し込み保持部３は、下蓋部１上に折り返したときに、先端部が下蓋部１と上蓋部２間の折り返しライン６ａ付近に位置する長さとなっていることが好ましい。差し込み保持部３を下蓋部１と上蓋部２との間に挟み込んだ状態において、差し込み保持部３から保護袋５が抜けないようにするためである。
【００１２】
次に、図２〜図４に基づいて、本ディスクケースへのディスク４の収納手順を説明する。
【００１３】
まず、図２及び図３に示されるように、ディスク４を収納した保護袋５に差し込み保持部３を差し込む。保護袋５は、一般に表面側が透明な合成樹脂フィルム、裏面側が合成繊維の不織布で構成されており、表面側からのみディスク４を目視できるので、差し込み保持部３を下蓋部１上に折り返したときに、保護袋５の表面側が上向きとなるように差し込み保持部３の差し込みを行う。また、この保護袋５は、透明な合成樹脂フィルムである表面側の保護効果がやや低いことから、これを補うために、保護袋５の表面側とディスク４の間に差し込み保持部３を差し込むことが好ましい。このとき、差し込み保持部３には内窓７ｂが形成されているので、ディスク４が差し込み保持部３で隠されてしまうことがない。但し、差し込み保持部３は、保護袋５の裏面側とディスク４の間に差し込んでもよい。この場合、内窓７ｂは不要となる。また、保護袋５は、表面と裏面の両者が透明な合成樹脂フィルム製の袋や、表面側にディスク４を目視できるようにするための開口部を有する紙製の袋等であってもよい。
【００１４】
差し込み保持部３を保護袋５にしっかり差し込んで、ディスク４を保護袋５ごと保持させた後、差し込み支持部３を折り返しライン６ｂを介して下蓋部１上へ折り返す。そして、その上から、折り返しライン６ａを介して上蓋部２を下蓋部１上へ折り返し、下蓋部１と上蓋部２との間に、保護袋５ごとディスク４を保持した差し込み保持部３を挟み込む。この状態の平面図が図４である。この状態では、上蓋部２の外窓７ａと差し込み保持部３の内窓７ｂはほぼ重なり、外窓７ａと内窓７ｂを介して、保護袋５に収納されて保持されいるディスク４を外から確認することができる。
【００１５】
外窓７ａと内窓７ｂは必須のものではないが、本ディスクケース内に収容されたディスク４の存在を外部から確認できるようにするために、設けることが好ましい。この外窓７ａと内窓７ｂは、同じ大きさでもよいが、両者の位置が多少ずれてもこのずれが外から見えないようにするために、内窓７ｂより外窓７ａを若干小さくしておくことが好ましい。外窓７ａと内窓７ｂは、通常、円孔として形成されるが、ディスク４の保持を阻害しない範囲で、両者の大きさや形状を相違したものとしたり、三角形、四角形、その他の形状とすることもできる。また、外窓７ａと内窓７ｂの一方又は両者をプラスチックシートやフィルム等の透明材料で覆い、収納されるディスク４の更なる保護を図ることもできる。
【００１６】
本例のディスクケースは、特に雑誌や書籍に綴じ込むのに適したもので、図４に示されるように、重ね合わされた下蓋部１と上蓋部２の自由端側に綴じ込み代９がとられている。そして、この綴じ込み代９を用いて雑誌や書籍に綴じ込むことで、ディスク４の包み込みに特に接着剤を使用することなく、ディスク４を雑誌や書籍に付帯させることができる。雑誌や書籍への綴じ込みは、例えばアジロ綴や無線綴で行うことができる。
【００１７】
上記のようにして雑誌や書籍に綴じ込まれた本ディスクケースの上下は、上蓋部２と下蓋部１が重なり合っただけの状態で、接着剤もしくは粘着剤による封止は行われていない。しかし、ここから上蓋部２と下蓋部１の間に指等をこじ入れても、ディスク４は保護袋５に収納されており、しかも差し込み保持部３の先端側には保護袋５を差し込み保持部３から抜き取るだけの空間がないので、開封することなくディスク４を抜き取ることはできない状態となっている。また、同様の理由から、持ち運び時のディスク４の脱落も生じる恐れがないものである。
【００１８】
上記のように雑誌や書籍に綴じ込んだ本ディスクケースを開封してディスク４を取り出しやすくするためには、前述のような開封部８を設けておけばよい。また、雑誌や書籍に綴じ込まれた本ディスクケース自体を雑誌や書籍から容易に取り外せるよう、綴じ込み代９に沿って、下蓋部１と上蓋部２を貫通するミシン目や切れ目等を設けておくこともできる。
【００１９】
次に、本発明に係るディスクケースの他の例について図５〜図２２で説明する。尚、図５〜図２２において図１と同じ符号は同様の部材若しくは部位を示すものである。
【００２０】
図５及び図６は、大きな内窓７ｂを有するディスクケースの一例を示すもので、差し込み保持部３の内窓７ｂが、保護袋５ごと保持したときのディスク４の中央部分に対応する位置から差し込み保持部３の先端に抜けたＵ字形の切り抜き部として形成されている。このようにすると、ディスク４のより広い面積を、内窓７ｂから目視することができる。この場合、上蓋部２の外窓７ａも、大きな内窓７ｂに対応してできるだけ大きなものとするのは勿論のことである。
【００２１】
図７及び図８は、ディスク４や保護袋５の保持状態を安定させるための舌片１０を有するディスクケースの一例を示すものである。図示されるように、本例における差し込み保持部３の基部寄りには、コ字形の切り込みが形成されており、その内側が舌片１０となっている。この舌片１０は、ディスク４を収納した保護袋５に差し込み保持部３を差し込んだときの保護袋５の開口縁部付近に位置するもので、折り返しライン６ｃを介して上向きに押し出されるものとなっている。即ち、舌片１０は、ディスク４を収納した保護袋５を差し込み保持部３に差し込んだときに、ディスク４の外周部及び／又は保護袋５の開口縁部を受け入れて挟み込み、これを安定させるものである。
【００２２】
図９及び図１０は、内窓７ｂ（図７及び図８参照）をも兼ねる舌片１０を有するディスクケースの一例を示すものである。図示されるように、本例における舌片１０は、ディスク４を収納した保護袋５に差し込み保持部３を差し込んだときの保護袋５の開口縁部付近からディスク４の中央部分に対応する領域を含む大きさで形成された切り込みの内側部分とし設けられている。本例の舌片１０は、図７及び図９のものと同様に折り返しライン６ｃを介して上向きに押し出されるもので、ディスク４や保護袋５の保持状態を安定させるのは勿論のこと、舌片１０を押し出した跡の開口部からディスク４を目視できるので、その形成と同時に内窓７ｂ（図７及び図８参照）を形成したことにもなる。
【００２３】
図１１及び図１２は、保護袋５を安定させる、把持用切り込み１２を有する枠体部１１を備えたディスクケースの一例を示すものである。図示されるように、下蓋部１に連接されたシート片に形成された切り込みによって、内側に差し込み保持部３、外側に枠体部１１が形成されている。即ち、差し込み保持部３は、枠体部１１の内側に嵌り合った状態で形成されている。また、差し込み保持部３は、基部に比して先端部の幅が狭くなっており、これを差し込んだ保護袋５は、差し込み支持部３の先端部側で左右が枠体部１１側に張り出した状態になる。そして、枠体部１１の先端側内周部には、把持用切り込み１２が形成されており、この把持用切り込み１２に上記枠体部１１側に張り出した保護袋５の外縁部を挟み込むことで、保護袋５の保持状態を安定させることができる。
【００２４】
図１３及び図１４は、差し込み保持部３をやや下蓋部１側へ食い込ませたディスクケースの一例を示すものである。図示されるように、本例のディスクケースの場合、差し込み保持部３を下蓋部１上へ折り返す時の折り返しライン６ｂが下蓋部１の内側へやや食い込んでいる。即ち、差し込み保持部３が下蓋部１のやや内側まで食い込んで形成されている。本例のディスクケースは、図１４から分かるように、差し込み保持部３を下蓋部１上へ折り返したときに、折り返しライン６ｂの部分がその両脇の下蓋部１の端縁より凹んだ状態となる。このような下蓋部１と差し込み保持部３の連接状態は、特に無線綴を行う場合に有利である。即ち、無線綴の場合、丁合いされて１冊の本にまとめられた中身の背の部分を２．５〜３ｍｍ程度の幅でミーリングカットして１枚単位に切り離し、そのカットした部分に接着剤を塗布して製本することになるが、上記のように下蓋部１と差し込み保持部３の連接部分が凹んでいると、ミーリングカット時に、この連接部が切り離されて、差し込み保持部３がずれやすくなるのを防止することができる。従って、下蓋部１の内側への折り返しライン６ｂの食い込み量、換言すると下蓋部１の内側への差し込み保持部３の食い込み量は、ミーリングカットの幅よりやや大きめに設定しておくことが好ましい。
【００２５】
図１５〜図２０は、差し込み保持部３に、例えばくじ、懸賞応募券、賞品引替券、懸賞やアンケート葉書、取り扱い説明カード、ユーザー登録用返信葉書等の付属カードを付帯させる場合を示すものである。
【００２６】
先ず、図１５及び図１６は、例えばくじ、懸賞応募券、賞品引替券等の付属カードを付帯させる場合に適した例を示すものである。図示されるように、差し込み保持部３の先端縁には、折り返しライン６ｄを介して付属カード１３が突出して連接されている。また、付属カード１３の中間部分を横断して、折り返しライン６ｅが設けられている。この付属カード１３の少なくとも先端部（折り返しライン６ｅより先端寄り部分）の図１５における底面側には、本ディスクケースの外表面への印刷時に、例えばくじ、懸賞応募券、賞品引替券等として必要な内容が印刷されるものである。
【００２７】
上記付属カード１３は、先端部を折り返しライン６ｅを介して図１５における上方に折り返した後、更に折り返しライン６ｄを介して全体を上方に折り返して差し込み保持部３上に重ねられ、差し込み保持部３と共に、ディスク４が収納された保護袋５に差し込まれるものである。従って、付属カード１３の先端部の印刷は、折り重ねられた付属カード１３の内側になって、使用者が差し込み保持部３から保護袋５を外して付属カード１３を延ばさないと見えない状態となっており、外部からの覗き見を防止することができる。また、上記のようにして折り畳まれた付属カード１３の存在によって差し込み保持部３の先端分が厚くなるので、差し込み保持部３による保護袋５の保持効果も向上する。
【００２８】
尚、図１５及び図１６に示される１４は差し込みスリットで、折り畳んだ付属カード１３のコーナー部を差し込み保持するものである。この差し込みスリット１４は必須のものではないが、付属カード１３の折り畳み状態を安定させるためには設けることが好ましい。また、本例における付属カードは、保護袋５に差し込まれる領域であれば、差し込み保持部３の側辺に設けることもできるし、折り返しライン６ｅを省略してもよい。
【００２９】
図１７及び図１８は、例えば懸賞やアンケート葉書、取り扱い説明カード、ユーザー登録用返信葉書等の付属カードを付帯させる場合に適した例を示すものである。図示されるように、差し込み保持部３の先端縁には、折り返しライン６ｄ（切り離しラインを兼ねている。）を介して付属カード１３が突出して連接されている。また、この付属カード１３の表裏面には、例えば懸賞やアンケート葉書、取り扱い説明カード、ユーザー登録用返信葉書等として必要な内容が印刷されるものである。
【００３０】
上記付属カード１３は、折り返しライン６ｄを介して全体を上方に折り返して差し込み保持部３上に重ねられ、差し込み保持部３と共に、ディスク４が収納された保護袋５に差し込まれるものである。従って、付属カード１３は保護袋５に収納された状態となるので、汚損したり脱落することなく付帯させることができる。また、本例における差し込み保持部３には、折り返された付属カード１３で覆われてしまうことから、図１に示されるような内窓７ｂが設けられていないが、差し込み保持部３を、保護袋５の裏面側とディスク４の間に差し込むようにすれば、外窓７ａを介して外からディスク４を確認することができる。
【００３１】
図１９及び図２０も、夫々、例えば懸賞やアンケート葉書、取り扱い説明カード、ユーザー登録用返信葉書等の付属カードを付帯させる場合に適した例を示すもので、図１９では、付属カード１３が、折り返しライン６ｄ（切り離しラインを兼ねている。）を介して差し込み保持部３の側部に連接されており、図２０では、差し込み保持部３の一部を、ミシン目や断続的な切り込み等で形成した切り離しライン１５で仕切った内側部分として付属カード１３が付帯されている。図１９の例においては、付属カード１３は側方に折り返されて差し込み保持部３と重ねられてから保護袋５（図１８参照）に差し込まれることになる。また、図２０の例においては、このような折り返しを行うことなく、差し込み保持部３を保護袋５（図１８参照）に差し込むことができる。
【００３２】
本発明に係るディスクケースは、これまで説明したような１枚のディスク４を収納するもののみではなく、複数枚のディスク４を収納できるものとすることができる。
【００３３】
図２１は、複数枚のディスク４を収容できるディスクケースの一例を示すもので、１つの下蓋部１に２つの差し込み保持部３が並列して夫々連接されており、同時に２枚のディスクを収納できるディスクケースとなっている。また、図２１では差し込み保持部３を２つ設けたものとなっているが、これは３つ以上とすることもできる。
【００３４】
以上の各例は、いずれも雑誌や書籍に綴じ込む場合に便利なものであるが、本発明のディスクケースはこのような綴じ込み用だけでなく、通常の保護ケースとしても応用することができる。この場合、差し込み保持部３を挟んで重ね合わされた下蓋部１と上蓋部２が開いてしまわないよう、両者間を止める蓋止め手段を設けることが好ましい。
【００３５】
図２２は、通常の保護ケースとして使用できるディスクケースの一例を示すもので、蓋止め手段として、上蓋部２の自由端側に差し込み片１６を設け、下蓋部１の自由端側に差し込み口１７を設けたものとなっている。このようにすると、差し込み片１６を差し込み口１７に差し込んでおくことで、下蓋部１と上蓋部２が開いてしまうのを防止することができる。
【００３６】
【発明の効果】
本発明は、以上説明した通りのものであり、次の効果を奏するものである。
【００３７】
（１）接着剤による封止を行うことなくディスク４を収納できるので、ディスク４の収納に際して接着剤の塗布工程が不要であり、収納作業が容易である。
【００３８】
（２）ディスク４は保護袋５に収納されており、しかも保護袋５は開封しなければ差し込み保持片３から抜けない構造となるので、持ち運び時のディスク４の脱落や書店店頭でのディスク４の抜き取りを確実に防止することができる。
【００３９】
（３）多くの場合ディスク４の保護のために付随する保護袋５をディスク４の保持構造の一部として利用しているので、特別な保持構造を構成する必要が少なく、簡便で経済的である。
【００４０】
（４）舌片１０や、把持用切り込み１２を有する枠体部１１を設けることで、更にディスク４や保護袋５の保持状態を安定させることができる。
【００４１】
（５）差し込み保持部３の下蓋部１上への折り返しライン８ｂを下蓋部１の内側にやや食い込んだ位置に形成しておくことで、ミーリングカットを伴う無線綴を行う場合でも、このミーリングカットによって差し込み保持部３が分離されないディスクケースとすることができる。
【００４２】
（６）差し込み保持部３に、例えばくじ、懸賞応募券、賞品引替券、懸賞やアンケート葉書、取り扱い説明カード、ユーザー登録用返信葉書等を付属カード１３として付帯させることで、これらを保護袋３で覆って保護した状態で付帯させることができる。
【００４３】
（７）複数の差し込み保持部３を連接することで、一度に複数のディスク４を収納できるディスクケースとすることもできる。
【００４４】
（８）容易に通常の保護ケースとしても利用できる。
【図面の簡単な説明】
【図１】本発明に係るディスクケースの一例を示す展開平面図である。
【図２】図１のディスクケースの差し込み保持部を、ディスクを収納した保護袋に差し込む直前の状態を示す斜視図である。
【図３】図１のディスクケースの差し込み保持部を、ディスクを収納した保護袋に差し込んだ状態を示す斜視図である。
【図４】図３の状態から、差し込み保持部を下蓋部上へ折り返し、更にその上に上蓋部を折り返した状態の平面図である。
【図５】大きな内窓を有するディスクケースの一例を示す展開平面図である。
【図６】図５のディスクケースの差し込み保持部を、ディスクを収納した保護袋に差し込んだ状態を示す斜視図である。
【図７】舌片を有するディスクケースの一例を示す展開平面図である。
【図８】図７のディスクケースの差し込み保持部を、ディスクを収納した保護袋に差し込んだ状態を示す斜視図である。
【図９】内窓を兼ねる舌片を有するディスクケースの一例を示す展開平面図である。
【図１０】図９のディスクケースの差し込み保持部を、ディスクを収納した保護袋に差し込んだ状態を示す斜視図である。
【図１１】把持用切り込みを有する枠体部を備えたディスクケースの一例を示す展開平面図である。
【図１２】図１１のディスクケースの差し込み保持部を、ディスクを収納した保護袋に差し込んだ状態を示す斜視図である。
【図１３】差し込み保持部が下蓋部に食い込んで設けられたディスクケースの一例を示す展開平面図である。
【図１４】図１３のディスクケースの差し込み保持部を、ディスクを収納した保護袋に差し込んだ状態を示す斜視図である。
【図１５】差し込み保持部に付属カードを付帯させる場合の一例を示す展開平面図である。
【図１６】図１５のディスクケースの差し込み保持部を、ディスクを収納した保護袋に差し込む直前の状態を示す斜視図である。
【図１７】差し込み保持部に付属カードを付帯させる場合の他の例を示す展開平面図である。
【図１８】図１７のディスクケースの差し込み保持部を、ディスクを収納した保護袋に差し込む直前の状態を示す斜視図である。
【図１９】差し込み保持部に付属カードを付帯させる場合の他の例を示す展開平面図である。
【図２０】差し込み保持部に付属カードを付帯させる場合の他の例を示す展開平面図である。
【図２１】複数の差し込み保持部を有するディスクケースの一例を示す展開平面図である。
【図２２】通常の保護ケースとして使用できるディスクケースの一例を示す斜視図である。
【符号の説明】
１    下蓋部
２    上蓋部
３    差し込み保持部
４    ディスク
５    保護袋
６ａ  折り返しライン
６ｂ  折り返しライン
６ｃ  折り返しライン
６ｄ  折り返しライン
６ｅ  折り返しライン
７ａ  外窓
７ｂ  内窓
８    開封部
９    綴じ込み代
１０  舌片
１１  枠体部
１２  把持用切り込み
１３  付属カード
１４  差し込みスリット
１５  切り離しライン
１６  差し込み片
１７  差し込み口
【図１】
0003712823.tif 000002
【図２】
0003712823.tif 000003
【図３】
0003712823.tif 000004
【図４】
0003712823.tif 000005
【図５】
0003712823.tif 000006
【図６】
0003712823.tif 000007
【図７】
0003712823.tif 000008
【図８】
0003712823.tif 000009
【図９】
0003712823.tif 000010
【図１０】
0003712823.tif 000011
【図１１】
0003712823.tif 000012
【図１２】
0003712823.tif 000013
【図１３】
0003712823.tif 000014
【図１４】
0003712823.tif 000015
【図１５】
0003712823.tif 000016
【図１６】
0003712823.tif 000017
【図１７】
0003712823.tif 000018
【図１８】
0003712823.tif 000019
【図１９】
0003712823.tif 000020
【図２０】
0003712823.tif 000021
【図２１】
0003712823.tif 000022
【図２２】
0003712823.tif 000023